(57)【要約】【課題】磁気センサの検出結果に基づき異常を検出する磁気監視制御の下、励磁制御により動作する電動役物から発する磁力に起因した、異常検出の発生を防止する。【解決手段】アタッカーソレノイド１４８へ非通電時、ＦＥＴ２３８のゲートにＬ信号が入力され、電源線２３４Ａ−抵抗２３２−ダイオード２４０−ＦＥＴ２４０−接地というルートが非導通状態となり、磁気センサ２０２Ｃから送出される検出信号は、信号線２３７を介して検出信号受付部２１４へ到達する。アタッカーソレノイド１４８へ通電時、ＦＥＴ２３８のゲートにＨ信号が入力され、電源線２３４Ａ−抵抗２３２−ダイオード２４０−ＦＥＴ２４０−接地というルートが導通状態となり、磁気センサ２０２Ｃから送出される検出信号は、検出信号受付部２１４へ到達せず、検出信号受付部２１４へは、常に、正常と同等の信号（Ｌ信号）が送出される。【選択図】図７
2014000194.tif 000002
【特許請求の範囲】
【請求項１】
遊技盤に設けられた可動部と、
前記可動部を通電制御による励磁又は非励磁の状態を利用して少なくとも２位置に移動させる駆動部と、
前記遊技盤の盤面の磁力を検出するために前記駆動部の前記通電制御による前記励磁の影響を受ける位置に設けられた磁気センサと、
前記磁気センサからの磁力の検出信号を入力源とし、予め定められた強度を超える磁力に対して異常信号を出力することで、磁力の発生状態を監視する監視手段と、
前記監視手段から出力される異常信号を受けて、異常な磁力の発生を報知する報知手段と、
前記駆動部を通電する第１の回路と、
前記磁気センサで検出した検出信号を監視手段の入力源とするために送信する第２の回路と、
前記第１の回路の通電中は、前記第２の回路の前記監視手段への送出機能を無効とするように、前記第１の回路と前記第２の回路とを相互に関連付けて配線する第３の回路と、
を有する遊技機。
【請求項２】
前記第３の回路が、前記第１の回路における前記駆動部への通電制御信号に応じて、前記第２の回路を接続又は断線の何れかに切り替えるスイッチング素子を備えた配線を含むことを特徴とする請求項１記載の遊技機。
【請求項３】
前記第１の回路が、前記駆動部を介して、電源線と前記接地線に介在され前記駆動部の通電制御に応じてオン又はオフするスイッチング素子を備え、
前記第２の回路が、前記磁気センサを介して電源線と前記電源線から分岐され前記入力源に対して前記磁気センサからの検出信号を送出する信号線を備え、
前記第３の回路が、前記スイッチング素子がオンのとき前記第１の回路の信号線を伝搬する検出信号を、前記第２の回路の接地線に迂回させて、当該検出信号が前記入力源へ入力されることを阻止する迂回線を含むことを特徴とする請求項１記載の遊技機。
【発明の詳細な説明】
【技術分野】
【０００１】
本発明は、磁気センサを備えた遊技機に関するものである。
【背景技術】
【０００２】
従来、遊技機、例えば、パチンコ機やパチスロ機においては、回路基板上に取り付けられた集積回路（マイクロコンピュータを含む）に予め定められた遊技仕様プログラムが記憶されると共に、遊技機に備えられたＬＣＤ等の画像表示部、ＬＥＤ等の電飾部材、電動役物等の可動部材が当該遊技仕様プログラムに基づき、遊技の進行によって動作制御されるようになっている。
【０００３】
電動役物には、その動作のための駆動源として、モータやソレノイドが適用されている。モータやソレノイドは、駆動の際に磁力が発生する。特にソレノイドは、励磁力によりアクチュエータを動作させる機構であり、例えば、２位置間を短いストロークで移動させることができ、パチンコ機では、電動チューリップや大入賞口（アタッカー）の開閉動作のための駆動源に適用される。また、モータは、永久磁石が適用されると共に、電流を流すことで磁力が発生するため、少なからず、周囲に磁力の影響を及ぼしている。
【０００４】
ところで、遊技盤面側のガラス越しに、磁石等を用いて磁力で遊技球を誘導する不正行為がある。例えば、大当たりしたときに実行されるアタッカーの開閉動作中に、アタッカーの上部に遊技球を磁力で滞留させ、一気にアタッカーへ入賞させ、本来の入賞球制限数をはるかに超える入賞によって、不正に賞球を受けるような不正行為が存在する。
【０００５】
このため、遊技盤の適宜箇所に、磁気センサを取り付け、磁気監視制御を実行している。磁気監視制御では、磁気センサによって磁力を検出すると、遊技仕様プログラムを中断したり、警報を鳴らしたりして不正対策を行う。この磁気監視制御により、磁石等を用いた磁力による不正行為を未然に防止することができる。
【０００６】
一方、遊技盤には、前記電動役物の駆動源として、励磁力でアクチュエータを動作させるソレノイドが適用されている。このソレノイドの励磁動作を感知して、不正対策が実行されることは、前記磁気監視制御の意に反することになる。
【０００７】
このため、磁気センサの検出領域（感知範囲）を避けて、ソレノイドを配置することが提案されている（特許文献１参照）。
【先行技術文献】
【特許文献】
【０００８】
【特許文献１】特開２００９−０６６３４２号公報
【発明の概要】
【発明が解決しようとする課題】
【０００９】
しかしながら、上記特許文献１のように、磁気センサ（すなわち、検出領域）と、ソレノイドとの相対位置関係を考慮して、それぞれの取付位置を選定しなければならず、大幅に構造上の制約を受けることになる。
【００１０】
特に、磁気センサの検出領域は、磁気センサ自身の経時的性能変化、或いは周辺金属部品等との位置関係により、取り付け初期の磁気センサの単体での設計上の検出領域に対して変動する場合がある。
【００１１】
このような変動があった場合に、既に固定的に取り付けられた磁気センサやソレノイドの取付位置変更ができず、磁気センサの検出精度を低下させなければならず、不正行為対策に支障をきたすことになる。
【００１２】
本発明は上記事実を考慮し、磁気センサの検出結果に基づき異常を検出する磁気監視制御の下、励磁制御により動作する電動役物等の駆動部から発する磁力に起因した、異常検出の発生を防止することができる遊技機を得ることが目的である。
【課題を解決するための手段】
【００１３】
本発明は、遊技盤に設けられた可動部と、可動部を通電制御による励磁又は非励磁の状態を利用して少なくとも２位置に移動させる駆動部と、遊技盤の盤面の磁力を検出するために駆動部の通電制御による励磁の影響を受ける位置に設けられた磁気センサと、磁気センサからの磁力の検出信号を入力源とし、予め定められた強度を超える磁力に対して異常信号を出力することで、磁力の発生状態を監視する監視手段と、監視手段から出力される異常信号を受けて、異常な磁力の発生を報知する報知手段と、駆動部を通電する第１の回路と、磁気センサで検出した検出信号を監視手段の入力源とするために送信する第２の回路と、第１の回路の通電中は、第２の回路の監視手段への送出機能を無効とするように、第１の回路と第２の回路とを相互に関連付けて配線する第３の回路と、を有している。
【００１４】
本発明によれば、第１の回路は、駆動部を通電する配線が施されている。第２の回路は、磁気センサで検出した検出信号を監視手段の入力源とするために送信する配線が施されている。
【００１５】
通常第１の回路と第２の回路とは関連性はなく、独立して設けられている。これに対して、本発明では、第３の回路として、第１の回路の通電中は、第２の回路の監視手段への送出機能を無効とするように、第１の回路と前記第２の回路とを相互に関連付けて配線した。このため、駆動部の駆動中は磁気センサの検出信号が入力源に至らず、不正以外の異常信号の出力を未然に回避することができる。
【００１６】
本発明において、第３の回路が、第１の回路における駆動部への通電制御信号に応じて、第２の回路を接続又は断線の何れかに切り替えるスイッチング素子を備えた配線を含むことを特徴としている。
【００１７】
スイッチング素子により、第１の回路における前記駆動部への通電制御信号に応じて、第２の回路を接続又は断線させることで、駆動部の駆動中は検出信号が入力源に至らず、不正以外の異常信号の出力を未然に回避することができる。
【００１８】
また、本発明において、前記第１の回路が、前記駆動部を介して、電源線と前記接地線に介在され前記駆動部の通電制御に応じてオン又はオフするスイッチング素子を備え、前記第２の回路が、前記磁気センサを介して電源線と前記電源線から分岐され前記入力源に対して前記磁気センサからの検出信号を送出する信号線を備え、前記第３の回路が、前記スイッチング素子がオンのとき前記第１の回路の信号線を伝搬する検出信号を、前記第２の回路の接地線に迂回させて、当該検出信号が前記入力源へ入力されることを阻止する迂回線を含むことを特徴としている。
【００１９】
第３の回路として、スイッチング素子がオンのとき前記第１の回路の信号線を伝搬する検出信号を、前記第２の回路の接地線に迂回させて、当該検出信号が前記入力源へ入力されることを阻止する迂回線を含む。これにより、駆動部の駆動中は信号線を介して検出信号が入力源に至らず、不正以外の異常信号の出力を未然に回避することができる。
【発明の効果】
【００２０】
以上説明した如く本発明では、磁気センサの検出結果に基づき異常を検出する磁気監視制御の下、励磁制御により動作する駆動部から発する磁力に起因した、異常検出の発生を防止することができるという優れた効果を有する。
【図面の簡単な説明】
【００２１】
【図１】本実施の形態に係るパチンコ機の正面図である。
【図２】本実施の形態に係る遊技盤の正面図である。
【図３】本実施の形態に係る制御系のハード構成を示すブロック図である。
【図４】（Ａ）はアタッカーが設けられた電動役物の正面図、（Ｂ）は図４（Ａ）のＩＶＢ−ＩＶＢ線断面図である。
【図５】アタッカーが設けられた電動役物を背面から見た斜視図である。
【図６】本実施の形態に係る不正監視制御部の機能ブロック図である。
【図７】本実施の形態に係る磁気検出信号管理回路部の詳細を示す回路構成図である。
【図８】本実施の形態に係る不正監視制御の流れを示すフローチャートである。
【図９】変形例に係る磁気検出信号管理回路部の詳細を示す回路構成図である。
【発明を実施するための形態】
【００２２】
（パチンコ機の構成）
図１に示されるように、パチンコ機１０の前面下部には、化粧パネルとなる下飾り１２が取り付けられている。
【００２３】
また、パチンコ機１０の下飾り１２の上部には、互いに平行、かつ奥行き方向に所定の間隔をおいて配置された一対のガラス板１４を装着したガラス枠１６が配置されており、ガラス枠１６は左側端部が軸支されて開閉可能に取り付けられている。このガラス枠１６の奥側には、着脱交換可能な遊技盤１８がセットされており、遊技盤１８は、ガラス枠１６で閉塞された状態でガラス板１４に対向するようになっている。
【００２４】
ガラス枠１６の下部には、一体皿２４が配置されている。一体皿２４の図１の右端部には、鍵穴２７が設けられ、この鍵穴２７にキーを差し込み、左右の内、一方に回すとガラス枠１６が開放し、他方に回すと一体皿２４が開放する。
【００２５】
一体皿２４には、上皿部２８と、下皿部３０とが設けられている。上皿部２８を形成する周縁壁部３２には、上皿球抜きレバー３４が設けられ、この上皿球抜きレバー３４を操作することで、上皿部２８に貯留された遊技球を下皿部３０へ送り出すことができるようになっている。また、下皿部３０には、下皿球抜きボタン３６が設けられ、この下皿球抜きボタン３６を操作することで、下皿部３０に貯留された遊技球ＰＢを外部（例えば、所謂「ドル箱」）へ排出することができるようになっている。
【００２６】
上皿部２８の周縁壁部３２における図１の右端部には、球貸ボタン４２と、返却ボタン４４が設けられている。
【００２７】
また、一体皿２４の右側下部には打球の発射力（飛距離）を調整するためのグリップユニット（発射ハンドル）２６が取り付けられ、左側下部には、灰皿４６が取り付けられている。
【００２８】
一体皿２４における下皿部３０の図１の右側には受け皿スピーカ６０Ｕが配置されている。
【００２９】
ここで、一体皿２４における上皿部２８の周縁壁３２には、遊技者が操作可能な操作ボタン５０が設けられている。この操作ボタン５０は、遊技中において、操作有効期間中に操作することで、演出画像に対して介入することができるようになっており、それぞれの遊技仕様によって設定される。
【００３０】
ガラス枠１６におけるガラス板１４の周囲には、アーチ状に遊技の進行に応じて点灯、消灯、及び点滅し照明による視覚的効果や、音声等による聴覚的効果等の演出効果を生み出す上部演出部５２が配置されている。この上部演出部５２の下端部は、一体皿２４の周囲に略Ｕ字型に配置された下部演出部５４の上端部と連結されている。
【００３１】
この結果、上演出部５２と下演出部５４とで、遊技盤１８の周囲を取り囲むように、演出部５６が形成されている。
【００３２】
この演出部５６は、上演出部５２及び下演出部５４共に、照明部材（ＬＥＤ等）が取り付けられた基板（図示省略）と、この基板を覆うように、所定の意匠で形成されたレンズカバー５８が取り付けられている。
【００３３】
レンズカバー５８は、前記照明部材が点灯する領域を区画するよう凹凸状にカットされており、区画された領域（以下、必要に応じて「レンズ部５８」という）毎に照明部材の点灯制御がなされる。なお、照明部材は基本的にＲ（赤色）、Ｇ（緑色）、Ｂ（青色）の３色に点灯するＬＥＤが１組となっており、それぞれの点灯時の光量比により、様々な配色の点灯が可能となっているが、単色に点灯するものであってもよい。或いは、レンズ部５８を予め着色してもよい。
【００３４】
ガラス枠の上部角部には、それぞれ三連表示６２が設けられ、遊技状態の報知（エラー報知等を含む）に適用される。
【００３５】
また、前記上演出部５２における、ガラス枠１６の上部円弧の約１／３に相当する領域の中央及び両端には、ガラス枠スピーカ６０Ｃ、６０Ｌ、６０Ｒが内蔵され、照明と同時に、音声を出力する。
【００３６】
なお、以下では、前述した受け皿スピーカ６０Ｕと、このガラス枠スピーカ６０Ｃ、６０Ｌ、６０Ｒを総称して、「スピーカ６０」という。
【００３７】
（遊技盤の構成）
図２に示される遊技盤１８は、基板となるベニヤ板に樹脂製シート状のセルが貼着されてそのセルの表面が盤面となっており、盤面の外周端部付近に、円弧状の外レール１０２及び内レール１０４が取り付けられている。なお、ベニヤ板に代えて透明アクリル板等が用いられる場合もある。これらの外レール１０２及び内レール１０４によって囲まれた円形状の領域は、発射装置１６５（図３参照）から発射されて打ち込まれた遊技球ＰＢが自重落下により移動可能とされ、この領域が遊技を行う遊技領域とされている。
【００３８】
遊技盤１８の遊技領域には、釘１９（一部のみ指標）が点在して打ち込まれ、かつ風車２１が取り付けられている。また、遊技領域におけるほぼ中央には、センター役物１０５が配置されている。センター役物１０５は、機械的に動作する可動役物装置１０５Ａ、１０５Ｂと、各種演出等の映像を表示する表示部１０６を備えている。可動役物装置１０５Ａ、１０５Ｂは、詳細な説明は省略するが、後述する特別図柄抽選の結果に基づいて、遊技者に当選の期待感を持たせるための動作として、表示部１０６の前面にせり出したり、表示部１０６の表示面を広狭したり等の動作演出が実行されるようになっている。一方、表示部１０６は、ＬＣＤ表示、ＬＥＤ表示等が適用可能であるが、特に表示形態に限定されるものではない。
【００３９】
表示部１０６では、例えば、特別図柄抽選の結果を報知するための図柄変動パターン演出が実行される。一例としては、３列の図柄列を個別に変動させ、その内の２列の図柄列が変動を停止したときの図柄が同一図柄となった場合を「リーチ」として遊技者に期待感を持たせる演出を実行し、最終列が停止して、既に停止している２列の図柄と同一図柄となった場合は当選、異なる図柄となった場合は落選を報知する。
【００４０】
センター役物１０５の下辺部は、ステージ１０５Ｓが形成されている。ステージ１０５Ｓには、釘等で跳ね返えることで受け入れた遊技球ＰＢ、或いは図示しないワープ路に案内されて受け入れた遊技球ＰＢが送り込まれるようになっている。
【００４１】
ステージ１０５Ｓは、傾斜面や突起部等が形成され、前記遊技球ＰＢの移動が当該傾斜面や突起部等により不規則に変化し、最終的に下辺手前から遊技盤１８へ戻されるようになっている。
【００４２】
図２に示される如く、センター役物１０５の下部には、特別図柄始動入賞口（Ａ）１３０が配置されている。特別図柄始動入賞口（Ａ）１３０は常時入賞可能に上部が開口している。
【００４３】
また、遊技盤１８の遊技領域の最下位置には、外れ球を遊技盤１８の裏側へ排出するアウト口１２４が設けられている。
【００４４】
一方、図２に示される如く、センター役物１０５の図２に向かって右側には、普通図柄抽選の始動機能を持つ通過ゲート１１８が配置されている。
【００４５】
この通過ゲート１１８の下方には、特別図柄始動入賞口（Ｂ）１３４が配置されている。特別図柄始動入賞口（Ｂ）１３４の上部開口は、釘１９によって通常は閉塞されている。
【００４６】
この特別図柄始動入賞口（Ｂ）１３４には、電動チューリップ１３６が取り付けられている。電動チューリップ１３６は、遊技盤１８の裏面側に配設された電チューソレノイド１３８（図３参照）の通電・非通電によって開閉する構成となっている。
【００４７】
電動チューリップ１３６は、前記普通図柄抽選に当選したときに開放するようになっている。電動チューリップ１３６が開放状態になると、特別図柄始動入賞口（Ｂ）１３４の入賞開口部へのパチンコ球ＰＢの受け入れが可能となり、パチンコ球ＰＢの入賞が可能となる。
【００４８】
前記特別図柄始動入賞口（Ｂ）１３４のさらに下部には、遊技領域の下端部付近に位置して特別図柄抽選の大当たり専用のアタッカー１１２が配置されている。
【００４９】
アタッカー１１２には、開閉扉１１６が設けられている。この開閉扉１１６が、アタッカーソレノイド１４８（図３参照）の通電・非通電によって開放又は閉塞する。すなわち、開閉扉１１６の開放時には、開閉扉１１６上に落下した遊技球ＰＢが開閉扉１１６に案内されてアタッカー１１２へ入賞する。
【００５０】
ここで、特別図柄始動入賞口（Ａ）１３０又は特別図柄始動入賞口（Ｂ）１３４に遊技球ＰＢが入賞すると、特別図柄抽選が実行される。
【００５１】
この特別図柄抽選において「大当たり」に当選すると、前記アタッカー１１２の開閉扉１１６が所定のパターンで開閉動作し、これを所定回数（所定ラウンド）繰り返すようになっている（「特別遊技」「大役処理」等と言う場合がある）。
【００５２】
なお、前記特別図柄抽選の抽選結果である当選（「大当たり」）は、主として表示部１０６の図柄変動表示演出において報知され、この図柄変動表示演出中、或いは、前記大役処理中の場合は、抽選結果の報知を待機（保留・記憶）し、順次報知していくようになっている。また、図柄変動表示演出と共に、動物などが擬人化されたキャラクタが表示され、特別図柄抽選で当選した旨を暗示させることにより、遊技者に期待感を持たせるといった、視覚的な演出をすることもあり、その場合は効果音によって聴覚からも遊技者の興趣を増大させる。
【００５３】
例えば、通常時がセンター役物１０５に向かって左側を狙って打つ遊技（所謂「左打ち状態」）であるのに対して、前記大役処理中は、前記アタッカー１１２に向けて、センター役物１０５に向かって右側を狙って打つ遊技（所謂「右打ち状態」）に変更する。
【００５４】
また、特定の遊技状態（例えば、大役処理後の一定期間の「右打ち状態」）で通過ゲート１１８を遊技球ＰＢが通過すると、普通図柄抽選が実行され、当該普通図柄抽選に当選すると、前記電動チューリップ１３６を開放する。前記特定の遊技状態では、電動チューリップの開放期間が長いため、特定の遊技状態以外の遊技状態に比べて、特別図柄始動入賞口（Ｂ）１３４に入賞する確率は増えることになる。
【００５５】
本実施の形態では、特定の遊技状態を「電動チューリップ１３６のサポート付の時短遊技状態」（「電サポ付時短」「電サポ付時短中」等と言う場合がある）とし、非電サポ付時短中のベースが２０であるのに対し、この電サポ付時短中のベースが１００となるように設定される。なお、ベースとは、発射球数に対する賞球払出数の割合であり、例えば、１００球の遊技球ＰＢが発射されて２０球の賞球払出があるときをベース２０といい、１００球の賞球払出があるときをベース１００という。
【００５６】
また、遊技盤１８には、センター役物１０５よりも下、かつ特別図柄始動入賞口（Ａ）１３０の左側（遊技盤１８の左下）には、複数の一般入賞口１２０（本実施の形態では、２個の一般入賞口１２０Ａ、１２０Ｂとする。）が設けられた役物装置１０７が配置されている。一般入賞口１２０は、２個に限られるものではなく、例えば、基本的なベースや入賞率等の設計上の演算によってその数を決めればよい。
【００５７】
なお、本実施の形態では、１個の特別図柄始動入賞口に対して最大４個（本実施の形態では、特別図柄始動入賞口（Ａ）１３０及び特別図柄始動入賞口（Ｂ）１３４の２個の特別図柄始動入賞口なので、８個となる。）の保留（遊技球の始動入賞に対する記憶）が可能となっている。なお、この保留球数は限定されるものではない。
【００５８】
保留球数は、主として特別図柄表示部を備えた遊技進行ガイドランプユニット１０９（図２に示すセンター役物１０５を正面視したときの右下に配置）の一部である特別図柄記憶表示部によって報知される。
【００５９】
また、センター役物１０５及び役物装置１０７との間の遊技盤１８の表面には、当該表面よりも奥側に埋め込まれるように、電飾装置１２２が配置されている。この電飾装置１２２の前面には、釘１９が打ち込まれている箇所があり、遊技球ＰＢが通過可能な流路上にあることがわかる。このため、遊技者は、遊技球ＰＢの動向を見る視線をずらさずに、当該電飾装置１２２の演出状態を視認可能となる。
【００６０】
（不正防止対策）
本実施の形態におけるパチンコ機１０では、パチンコ機１０を揺すったり、叩いたりすることで遊技球ＰＢの動向に変化をつけようとする不正行為、並びに、手に磁石を持ちガラス板１４（図１参照）に近づけることで、遊技球ＰＢの動向に変化をつけようとする不正行為の防止対策として、遊技盤１８の裏面側には、振動センサ２００及び複数個（本実施の形態では、３個）の磁気センサ２０２Ａ、２０２Ｂ、２０２Ｃを設けている。
【００６１】
振動センサ２００は、図２に示す遊技盤１８の正面に対して左上（すなわち、裏面側では右上となる）の角部に設けられている（矩形枠参照）。
【００６２】
振動センサ２００の位置は特に制限はなく、遊技盤１８の全体を対象として、最も振動が伝わり易い位置に取り付ければよい。なお、本実施の形態では、１個の振動センサ２００で遊技盤１８の全体の領域の振動を検出するようにしたが、複数個の振動センサ２００を配置してもよい。
【００６３】
一方、磁気センサ２０２Ａは、図２に示す遊技盤１８の正面に対して、特別図柄始動入賞口（Ａ）１３０の左上（すなわち、裏面側では特別図柄始動入賞口（Ａ）１３０が配置の右上となる）に配置されている。
【００６４】
磁気センサ２０２Ｂは、図２に示す遊技盤１８の正面に対して、特別図柄始動入賞口（Ｂ）１３４の上方、かつ通過ゲート１１８の配置位置近傍に配置されている。
【００６５】
磁気センサ２０２Ｃは、アタッカー１１２の右下（すなわち、裏面側ではアタッカー１１２の左下）にそれぞれに配置されている。
【００６６】
図２では、３個の磁気センサ２０２Ａ、２０２Ｂ、２０２Ｃを矩形枠で示し、かつ、磁力検出範囲Ａmagを円形の点線枠で示している。なお、詳細は後述するが、磁力検出範囲Ａmagは、実際には、球体のように三次元的な空間である。
【００６７】
ここで、磁気センサ２０２Ａ、２０２Ｂ、２０２Ｃのぞれぞれの磁力検出範囲Ａmag内には、前述したように、特別図柄始動入賞口（Ａ）１３０、特別図柄始動入賞口（Ｂ）１３４、アタッカー１１２が存在している。これらの共通点は、入賞口を備えた役物装置である。また、磁力によって可動部材（電動チューリップ１３４や開閉部材１１６等）を動作させる電動役物の場合もある。
【００６８】
この電動役物の場合、例えば、アタッカー１１２の開閉扉１１６が開放しているとき、磁石を手にもって近づけて、遊技球ＰＢを集中して滞留させ、一気に入賞させるといった不正行為があった場合、磁気センサ２０２Ｃによって、異常を知らせる強度の検出信号が出力されることになる。
【００６９】
後述する主制御部１５０には、不正監視制御部２０４（図３参照）が設けられており、磁気センサ２０２Ａ、２０２Ｂ、２０２Ｃからの検出信号を入力源として受け付けて、予め定めたしきい値と比較し、検出信号がしきい値を超えている場合に、異常信号を出力することで、不正行為を監視するようにしている（詳細後述）。なお、不正監視制御部２０４では、前記振動センサ２００からの検出信号を受け付け、振動に関する不正の監視も行っている。
【００７０】
一方、役物装置、特に電動役物において、磁力を用いて可動部材を動作させるとき、それぞれが磁力検出範囲Ａmagとなる磁気センサ２０２Ｂ、２０２Ｃが異常を知らせる強度の検出信号を出力する場合がある。
【００７１】
例えば、前記アタッカー１１２においても、開閉扉１１６が開放中は、アタッカーソレノイド１４８（図４、図５参照）が励磁されており、この励磁による磁力が磁気センサ２０２Ｃによって検出される場合がある。
【００７２】
これを回避するため、磁力検出範囲Ａmagから逸脱した位置にアタッカーソレノイド１４８を配置すればよいが、構造上の制約が大きく、遊技盤１８への役物配置の自由度が失われることになる。
【００７３】
そこで、本実施の形態では、電動役物の磁力を発生する駆動源と、磁気センサ（本実施の形態では、磁気センサ２０２Ｂ、２０２Ｃ）の磁力検出領域Ａmagとの相対位置関係を考慮する必要がなく、かつ、駆動源の動作による異常信号の誤出力を回避する不正監視制御部２０４を構築した。
【００７４】
以下、図４及び図５に基づいて、電動役物の一例として、磁気センサ２０２Ｃの磁力検出範囲Ａmag内に位置する、アタッカー１１２の詳細構造を説明する。
【００７５】
図４（Ａ）は、遊技盤１８の正面から見たアタッカー電動役物２０６の正面図であり、全体の外観を構成する合成樹脂製の装飾部材２０８は、その一部が円形の遊技領域の右下の円弧に沿って円弧状に形成されている。
【００７６】
装飾部材２０８には、横長矩形（長方形）の開口部２１０形成されている（図４（Ｂ）参照）。この開口部２１０は、遊技盤１８を落下してくる遊技球ＰＢの入賞口の１つであり、入賞によって賞球を受けるようになっている。
【００７７】
開口部２１０の下辺部には、図示しない蝶番を介して、開閉扉１１６の下辺が連結されている。このため開閉扉１１６は、当該下辺を中心に開口部２１０を閉止する位置、並びに開口部２１０を開放し、かつ落下してくる遊技球ＰＢを開口部２１０へ案内する受け部材として機能する。
【００７８】
図５に示される如く、開口部２１０の裏面側には、入賞した遊技球ＰＢを案内すると共に、前記開閉扉１１６の開閉動作を担うアタッカーソレノイド１４８を支持するブラケット２１２が設けられている。アタッカーソレノイド１４８には、励磁／非励磁によって伸縮するアクチュエータ１４８Ａ（図４（Ａ）参照）が設けられ、当該アクチュエータ１４８Ａと前記開閉扉１１６とが図示しないリンク機構を介して連結されている。
【００７９】
このため、開閉扉１１６は、アタッカーソレノイド１１２の励磁／非励磁によって開閉動作が実行される。
【００８０】
前記ブラケット２１２には、検出面が遊技盤１８の裏面に対向するように、磁気センサ２０２Ｃが取り付けられている。磁気センサ２０２Ｃの検出範囲Ａmagは、図２に示される如く、遊技盤１８の正面からみると円形である。しかし、実際には、図４（Ｂ）に示される如く、磁気センサ２０２Ｃの検出面の前後に略球体状の検出範囲Ａmagが形成されている。
【００８１】
検出範囲Ａmagは、遊技盤１８の前面における不正行為が実行される可能性のある領域を十分に確保している。また、一方で、検出範囲Ａmagは、前記アタッカーソレノイド１４８の取り付け領域を含んでいる。このため、アタッカーソレノイド１４８が励磁されると、磁気センサ２０２Ｃは、しきい値を超える強度の検出信号を出力する。
（制御系の構成）
次に、図３を用いてパチンコ機１０の制御系について説明する。
【００８２】
本実施形態に係るパチンコ機１０の制御系は、図３に示されるように、主制御部１５０を中心として構成されており、この主制御部１５０には、演出制御部１５２と払出制御部１５４とが接続されている。主制御部１５０には、遊技に関する基本的なプログラムが記憶されており、この主制御部１５０からの命令信号に基づいて、各部の動作が制御されるようになっている。
【００８３】
主制御部１５０からは盤用外部端子１９０を介してホールコンピュータ（図示省略）へ遊技の進行状態を示す情報（始動入賞信号や大当たり信号、図柄確定回数信号等）が送信される。
【００８４】
主制御部１５０には、入力系として、通過ゲート１１８を通過する遊技球ＰＢを検出する通過ゲートセンサ１１８Ｓ、特別図柄始動入賞口（Ａ）１３０への入賞球を検出する特図Ａ始動口センサ１３０Ｓ、特別図柄始動入賞口（Ｂ）１３４への入賞球を検出する特図Ｂ始動口センサ１３４Ｓ、「大当たり」の際に開放するアタッカー１１２への入賞球を検出するアタッカーセンサ１１２Ｓ、一般入賞口１２０Ａ、１２０Ｂへの入賞球を検出する一般入賞センサ１２０ＡＳ、１２０ＢＳが接続されている。
【００８５】
また、主制御部１５０には、出力系として、遊技情報や遊技状態をランプの点灯状態で報知するガイドランプユニット１０９、電動チューリップ１３６を開閉する電チューソレノイド１３８、アタッカー１１２の開閉扉１１６を開閉するためのアタッカーソレノイド１４８が接続されている。
【００８６】
演出制御部１５２には、入力系として、前記操作ボタン５０が接続されている。また、演出制御部１５２には、出力系として、前記電飾装置１２２のＬＥＤチップ１２２Ａ、並びにパチンコ機１０の各種遊技部品に設けられた照明演出用の光源１３７、スピーカ６０（６０Ｌ、６０Ｃ、６０Ｒ、６０Ｕ）が接続されている。
【００８７】
さらに、演出制御部１５２には、図柄制御部１５６を介して表示部１０６が接続されている。
【００８８】
払出制御部１５４には、払出装置１６０及び発射制御部１６４が接続され、発射制御部１６４には発射装置１６５が接続されている。この払出制御部１５４は、パチンコ機１０内に設けられた払出装置１６０を作動させて、賞球又は貸し球の払い出し及び停止動作と払出数を制御する。また、発射制御部１６４は、遊技者によるグリップユニット２６（図１参照）の操作により発射装置１６５を作動させて、遊技球ＰＢの発射開始、及び、グリップユニット２６の操作量に応じた発射力を制御する。
【００８９】
さらに、払出制御部１５４では、枠用外部端子１９１を介して払出情報をホールに設置されたホールコンピュータ（図示省略）へ送信するようになっている。
【００９０】
また、主制御部１５０には、振動センサ２００及び磁気センサ２０２Ａ、２０２Ｂ、２０２Ｃからの検出信号に基づいて、不正行為を監視する不正監視制御部２０４が設けられている。不正監視制御部２０４には、磁気センサ２０２Ａ、２０２Ｂ、２０２Ｃが接続されているが、その内の少なくとも１つは、磁気検出信号管理回路部２０５が介在されている。
【００９１】
磁気検出信号管理回路部２０５を介在させる磁気センサは、駆動部に磁力を用いたソレノイドやモータを用いた電動役物に接近していることが条件となる。例えば、本実施の形態では、アタッカーソレノイド１４８と磁気センサ２０２Ｃとが互いに接近して配置されており、このため、磁気センサ２０２Ｃは、前記磁気検出信号管理回路部２０５を介して、主制御部１５０の不正監視制御部２０４に接続されている。なお、図３では、この状態を図示したが、必要に応じて、磁気センサ２０２Ａ、２０２Ｂにも磁気検出信号管理回路部２０５を介在させればよい。
【００９２】
（不正監視制御部２０４の機能「磁気センサ２０２Ｃ」）
図６は、不正監視制御部２０４、磁気検出信号管理回路２０５において、磁気センサ２０２Ｃ、すなわちアタッカー１１２の周囲を対象とした不正監視制御のための機能ブロック図である。なお、他の磁気センサ２０２Ａ、２０２Ｂにおいても同様の機能及び構成によって不正監視制御が可能である。
【００９３】
また、振動センサ２００においては、図示は省略したが、振動状態（強度（振幅）、単位振動回数（周波数）、振動期間等）をパラメータとして、遊技者等が意図的に不正に遊技盤１８を揺らす、或いは叩く等の行為を行っているか否かを監視すればよい。
【００９４】
図６に示される如く、磁気センサ２０２Ｃは、磁気検出信号管理回路部２０５を介して、検出信号受付部２１４に接続されている。検出信号受付部２１４では、磁気センサ２０２Ｃで検出した磁気の強度に応じた検出信号を受け付ける。
【００９５】
磁気検出信号管理回路部２５０の回路構成については後述する。
【００９６】
概略として、磁気検出信号管理回路部２５０では、アタッカーソレノイド１４８が動作していない間は、磁気センサ２０２Ｃによる磁力に基づく検出信号は、入力源である検出信号受付部２１４へ送出されるようになっている。一方、磁気検出信号管理回路部２５０では、アタッカーソレノイド１４８が動作している間は当該検出信号が検出信号受付部２１４へ送出されるのを阻止するようになっている。
【００９７】
検出信号受付部２１４は、信号判定部２１５に接続されている。本実施の形態では、磁気センサ２０２Ｃ自体が、異常とされる磁力を受けたときと、そうでないときのデジタル情報（二値信号「Ｈ／Ｌ信号」）を出力する構成となっており（図７参照）、信号判定部２１５では、当該検出信号がＨ信号かＬ信号かを判定する。
【００９８】
信号判定部２１５における判定結果は、磁気異常有無判定部２２０に送出されるようになっている。磁気異常有無判定部２２０では、検出信号がＨ信号の場合に「異常」であると判定され、当該「異常」と判定された場合に異常信号出力部２２２に対して異常信号の出力指示信号を送出する。また、検出信号がＬ信号の場合に「正常」と判定され、異常信号の出力指示はない。
【００９９】
なお、本実施の形態では、磁気センサ２０２Ｃの出力信号をデジタル情報（二値信号「Ｈ／Ｌ信号」）としたが、磁気検出信号をアナログ情報（例えば、電圧値等）とし、その強度をしきい値と比較して、異常か否かを判定するようにしてもよい。
【０１００】
前記磁気異常有無判定部２２０は、異常履歴情報記憶部２２４に接続され、磁気異常の発生履歴が記憶されるようになっている。
【０１０１】
異常信号出力部２２２は、盤用外部端子１９０及び報知デバイス２２６（表示部１０６、光源１３７、スピーカ６０等）に接続され、それぞれに対し、異常を報知する信号を出力する。例えば、盤用外部端子１９０へホストコンピュータで解読可能な異常信号を出力する。また、表示部１０６へ画像表現による異常信号を出力する。光源１３７へ点灯表現による異常信号を出力する。スピーカ６０へ音声表現による異常信号を出力する。なお、異常信号の出力先は一つでもよいし、２以上を併用してもよい。
【０１０２】
図７は、磁気検出信号管理回路部２０５の詳細な回路構成を示す回路図である。
【０１０３】
基磁気検出信号管理回路部２０５は、アタッカーソレノイド１４８を通電する第１の回路と、磁気検出センサ２０２Ｃによる磁気に関する検出信号を前記不正監視制御部２０４へ送出するための第２の回路を備えている。
【０１０４】
磁気検出センサ２０２Ｃは、ＮＰＮ型トランジスタ２３０（以下、「ＴＲ２３０」という）を備え、そのベース（Ｂ）には、不正行為の実行に準じる磁力を受けたときにＬ信号を発し、不正行為の実行に準じる磁力を受けていないときにＨ信号を発するようにＤＣ電源が供給されている。また、ＴＲ２３０のコレクタ（Ｃ）には、抵抗２３２介してＤＣ電源線２３４Ａが接続され、エミッタ（Ｅ）には、接地線（アース線）２３６を介して接地されている。
【０１０５】
また、ＴＲ２３０のコレクタは、信号線２３７を介して不正監視制御部２０４の検出信号受付部２１４に接続されている。信号線２３７は、ＤＣ電源線２３４Ａ、抵抗２３２と共に第２の回路に属する。
【０１０６】
ＴＲ２３０では、ベースが磁力を受けていない状態（Ｈ信号）では、コレクタ−エミッタ間がオンとなり、ＤＣ電源から抵抗２３２を介してＴＲ２３０のコレクタ−エミッタ間に電流が流れる。このため、不正監視制御部２０４の検出信号受付部２１４には、Ｌ信号が送出される。このＬ信号は、不正行為の実行に準じる磁気未検出を意味する。
【０１０７】
また、ＴＲ２３０では、ベースが磁力を受けた状態（Ｌ信号）では、コレクタ−エミッタ間がオフとなり、ＤＣ電源から、抵抗２３２を介して、不正監視制御部２０４の検出信号受付部２１４に電流が流れる。このため、不正監視制御部２０４の検出信号受付部２１４には、Ｈ信号が送出される。これは、不正行為の実行に準じる磁気検出を意味する。
【０１０８】
一方、磁気検出回路管理回路部２０５では、ソレノイドアタッカー１４８を駆動制御するための回路（第１の回路）が設けられている。
【０１０９】
第１の回路において、アタッカー１１２の開閉扉１１６を開閉するための動作信号（アタッカー開閉信号）は、動作信号線２３９によりＮチャネル接合型ＦＥＴ２３８（以下、「ＦＥＴ２３８」という）のゲート（Ｇ）に入力されている。また、ＦＥＴ２３８のソース（Ｓ）は接地され、カソード側はアタッカーソレノイド１４８のマイナス側端子に接続されている。なお、ＦＥＴ２３８は、第１の回路に属する。
【０１１０】
アタッカーソレノイド１４８のプラス側端子には、電源線２３４Ｂを介してＤＣ電源が接続されている。
【０１１１】
上記構成の第１の回路では、動作信号がＦＥＴ２３８のゲートに入力されると、ドレイン−ソース間がオンとなり、ＤＣ電源がアタッカーソレノイド１４８を通電し、開閉扉１１６が開放する。
【０１１２】
ここで、前記第２の回路における、抵抗２３２と検出信号受付部２１４との間の信号線２３７は、ダイオード２４０のアノード側に接続され、ダイオード２４０のカソード側がＦＥＴ２３８のドレイン（Ｄ）に接続されている。ダイオード２４０及びその前後の迂回線２４１は、第１の回路と第２の回路を連携するための第３の回路に属する。
【０１１３】
従って、ＦＥＴ２３８がオンのとき、信号線２３７を流れる信号（Ｈ信号／Ｌ信号）は、ダイオード２４０を介して、ＦＥＴ２３８へ流れる。言い換えれば、不正監視制御部２０４の検出信号受付部２１４への送出されないことになる。
【０１１４】
すなわち、第１の回路と第２の回路とが連携され、アタッカーソレノイド１４８がオン（開閉扉１１６の開放）のとき、磁気センサ２０２Ｃの検出信号がＦＥＴ２３８へ迂回され、キャンセルされるようになっている。
【０１１５】
以下に本実施の形態の作用を説明する。
【０１１６】
パチンコ機１０による遊技では、遊技者がグリップユニット２６を操作すると、一球ずつ発射装置１６５によって上方へ発射される。発射された遊技球ＰＢは、外レール１０２に沿って遊技盤１８の略円形の遊技領域に打ち込まれ、遊技釘や風車に当たり方向を変えながら遊技領域内を落下する。そして、入賞せずに遊技領域の下端部に至った遊技球ＰＢはアウト口１２４からパチンコ機１０内に回収される。
【０１１７】
（本実施の形態に係る遊技仕様）
本実施の形態では、所謂「左打ち」による遊技が基本（基本遊技）となる。すなわち、表示部１０６を境界として、遊技盤１８の左側を通るように遊技球ＰＢの発射強度を調整することで、風車や釘等の障害物に当接しながら、特別図柄始動入賞口（Ａ）１３０へ遊技球を導いていき、入賞すると特別図柄抽選が実行される。
【０１１８】
特別図柄抽選は、表示部１０６にて実行される図柄変動パターン演出によって、遊技者に対し抽選結果の報知が実行される。図柄変動パターン演出は、主制御部１５０からの指示信号等に基づき、図柄変動パターン選択テーブルから図柄変動パターン種が選択されて実行される。
【０１１９】
特別図柄抽選に当選すると、アタッカー１１２の開閉扉１１６が、所定時間、所定回数開放して、遊技球の入賞を通常遊技状態よりも飛躍的に高める大役処理が実行される。
【０１２０】
大役処理は、上記基本遊技とは別に、所謂「右打ち」による遊技となる。
【０１２１】
すなわち、表示部１０６を境界として、遊技盤１８の右側を通るように遊技球ＰＢの発射強度を調整することで、風車や釘等の障害物に当接しながら、アタッカー１１２へ遊技球を導いていく。
【０１２２】
次に、大役処理が終了すると、前記左打ちに戻る場合と、右打ちを継続する場合とがある。右打ちの継続された場合、特別図柄始動入賞口（Ｂ）１３４へ遊技球を導いていく。このとき、時短状態となっており、遊技球ＰＢが通過ゲート１１８を通過すると普通図柄抽選が時短状態で実行され、当選（例えば、当選確率１／１．１）となれば電動チューリップ１３６が頻繁に開放され、特別図柄始動入賞口（Ｂ）１３４への入賞が可能となる。遊技球ＰＢがこの特別図柄始動入賞口（Ｂ）１３４に入賞すると、特別図柄始動入賞口（Ａ）１３０と同様に特別図柄抽選が実行される。
【０１２３】
ここで、上記遊技仕様を実行するプログラムは、主制御部１５０の記憶部（例えば、ＲＯＭ）に記憶され、当該プログラムが実行される。また、主制御部１５０では、電チューソレノイド１３８の動作、アタッカーソレノイド１４８の動作、並びに、ガイドランプユニットの点灯制御が実行される。
【０１２４】
さらに、演出制御部１５２では、図柄制御部１５６を介して表示部１０６の表示制御を含み、聴覚や視覚を通じた演出が実行され、払出制御部１５４では遊技球ＰＢの払い出し制御が実行される。
【０１２５】
以下、図８のフローチャートに従い、本実施の形態に係る、磁気センサ２０２Ｃによる不正監視制御ルーチンを説明する。
【０１２６】
ステップ２５０では、磁気センサ２０２Ｃからの検出信号を取り込む。次のステップ２５２では、検出信号の種類、すなわち、異常信号であるＨ信号か、正常（非異常）信号であるＬ信号かを判別する。
【０１２７】
次のステップ２５４では、検出信号がＨ信号か否かが判断され、否定判定された場合は、不正行為はないと判断し、このルーチンは終了する。
【０１２８】
一方、ステップ２５４で肯定判定された場合は、不正行為の可能性があると判断し、ステップ２５６へ移行して異常判定の履歴情報を更新し、次いでステップ２５８へ移行して異常信号を出力し、このルーチンは終了する。
【０１２９】
ここで、本実施の形態では、上記不正監視制御部２０４において、検出信号受付部２１４で受け付けた検出信号に基づいて、不正の有無を判定する前に、磁気検出信号管理回路部２０５において、検出信号受付部２１４で受け付ける検出信号を管理している。
【０１３０】
すなわち、アタッカーソレノイド１４８が励磁された場合でも、磁気センサ２０２Ｃは異常に相当する磁気を検出するため、異常信号（Ｈ信号）が出力されることになる。
【０１３１】
このため、磁気検出信号管理回路部２０５では、アタッカーソレノイド１４８への通電中は、検出信号が検出信号受付部２１４へ送出されることを回避するようにした。
【０１３２】
図７に基づき、アタッカーソレノイド１４８へ非通電時、通電時の検出信号の流れを説明する。
【０１３３】
まず、磁気センサ２０２Ｃの動作を説明する。
【０１３４】
磁気センサ２０２Ｃで予め定めた磁気を検出していない場合は、ＴＲ２３０のベースにＨ信号が入力され、ＴＲ２３０のコレクタ−エミッタ間がオンとなり、電源線２３４Ａ−抵抗２３２−ＴＲ２３０−接地というルートが導通状態となって電流が流れ、検出信号受付部２１４には、Ｌ信号（正常な検出信号）が送出される。
【０１３５】
一方、磁気センサ２０２Ｃで予め定めた磁気を検出した場合は、ＴＲ２３０のベースにＬ信号が入力され、ＴＲ２３０のコレクタ−エミッタ間がオフとなり、電源線２３４Ａ−抵抗２３２−ＴＲ２３０−接地というルートが非導通状態となって電流が流れず、検出信号受付部２１４には、Ｈ信号（異常な検出信号「異常信号」）が送出される。
【０１３６】
次に、アタッカーソレノイド１４８の状態に応じた異常信号の取扱いについて説明する。
【０１３７】
アタッカーソレノイド１４８へ非通電時、すなわち、動作信号がＬ信号の場合は、ＦＥＴ２３８のゲートにＬ信号が入力されるため、ドレイン−ソース間はオフとなる。この結果、電源線２３４Ａ−抵抗２３２−ダイオード２４０−ＦＥＴ２４０−接地というルートが非導通状態となる。
【０１３８】
このため、磁気センサ２０２Ｃから送出される検出信号は、信号線２３７を介して検出信号受付部２１４へ到達させることができる。
【０１３９】
一方、アタッカーソレノイド１４８へ通電時、すなわち、動作信号がＨ信号の場合は、ＦＥＴ２３８のゲートにＨ信号が入力されるため、ドレイン−ソース間はオンとなる。この結果、電源線２３４Ａ−抵抗２３２−ダイオード２４０−ＦＥＴ２４０−接地というルートが導通状態となる。
【０１４０】
このため、磁気センサ２０２Ｃから送出される検出信号は、信号線２３７−ダイオード２４０−ＦＥＴ２３８と案内され、検出信号受付部２１４へ到達せず、検出信号受付部２１４へは、常に、正常と同等の信号（Ｌ信号）が送出される。
【０１４１】
本実施の形態によれば、アタッカーソレノイド１４８の動作により発生する磁力を、磁気センサ２０２Ｃで検出しても、不正監視制御部２０４の上流側に配置した、磁気検出信号管理回路部２０５における、第１の回路と第２の回路との連携に基づき、検出信号の流れを迂回させ、異常と判断しないようにしたため、アタッカー１１２と磁気センサ２０２Ｃとの相対位置関係を考慮せずに配置可能であり、設計の自由度を増すことができる。
【０１４２】
（変形例）
なお、上記実施の形態では、アタッカーソレノイド１４８の駆動回路（第１の回路）に直接ＦＥＴ２３８を介在させる構成としたが、動作信号を分岐して、この動作信号に基づいて、第２の回路の信号線２３７を直接断続するようにしてもよい。
【０１４３】
すなわち、図９に示される如く、変形例に係る磁気検出管理回路部２０５Ａでは、信号線２３７には、リレー回路２４２の二次側であるスイッチ２４２Ｓが介在されている。このスイッチ２４２Ｓは、一次側であるコイル２４２Ｃが非励磁の場合にオン、励磁された場合にオフとなる。
【０１４４】
また、動作信号は分岐され、当該分岐線２４４はトランジスタ２４６のベース（Ｂ）に入力され、トランジスタ２４６のコレクタ（Ｃ）は電源線２３４ＡからＤＣ電源が供給され、エミッタ（Ｅ）はリレー回路２４２のコイル２４２Ｃの一端に接続されている。コイル２４２Ｃの他端は接地されている。
【０１４５】
上記構成により、動作信号がアタッカーソレノイド１４８を通電する信号（Ｈ信号）の場合、トランジスタ２４６がオンとなって、コイル２４２Ｃに電流が流れ、スイッチ２４２Ｓがオフする。このスイッチ２４２Ｓのオフによって、磁気センサ２０２Ｃと検出信号受付部２１４を繋ぐ信号線２３７が断たれる。従って、アタッカーソレノイド１４８の通電中は、不正監視制御部２０４の機能が中断されることになる。
【符号の説明】
【０１４６】
１０    パチンコ機（遊技機）
１８    遊技盤
６０    スピーカ（報知手段）
１０５    センター役物
１０６    表示部（報知手段）
１１２    アタッカー
１１２Ｓ    アタッカーセンサ
１１６    開閉扉（可動部）
１３０    特別図柄始動入賞口（Ａ）
１３０Ｓ    特図Ａ始動口センサ
１３４    特別図柄始動入賞口（Ｂ）
１３４Ｓ    特図Ｂ始動口センサ
１３６    電動チューリップ（可動部）
１３７    光源（報知手段）
１３８    電チューソレノイド（駆動部）
１４８    アタッカーソレノイド（駆動部）
１４８Ａ    アクチュエータ
１５０    主制御部
１５２    演出制御部
１５４    払出制御部
２００    振動センサ
２０２Ａ、２０２Ｂ、２０２Ｃ    磁気センサ
２０４    不正監視制御部（監視手段）
２０６    アタッカー電動役物
２０８    装飾部材
２１０    開口部
２１２    ブラケット
２０５    磁気検出信号管理回路部
２１４    検出信号受付部
２１５    信号判定部
２２０    磁気異常有無判定部
２２２    異常信号出力部
２２４    異常履歴情報記憶部
２２６    報知デバイス
２３０    ＮＰＮ型トランジスタ（ＴＲ）
２３２    抵抗（第２の回路）
２３４Ａ    ＤＣ電源線（第２の回路）
２３４Ｂ    ＤＣ電源線（第１の回路）
２３６    接地線
２３７    信号線（第２の回路）
２３８    Ｎチャネル接合型ＦＥＴ（第１の回路）
２３９    動作信号線（第１の回路）
２４０    ダイオード（第３の回路）
２４１    迂回線（第３の回路）
【図１】
2014000194.tif 000003
【図２】
2014000194.tif 000004
【図３】
2014000194.tif 000005
【図４】
2014000194.tif 000006
【図５】
2014000194.tif 000007
【図６】
2014000194.tif 000008
【図７】
2014000194.tif 000009
【図８】
2014000194.tif 000010
【図９】
2014000194.tif 000011